(57)【要約】【課題】道具が一体的に組み込まれた道具付き走行玩具を提供すること。【解決手段】本体の内部には、前後方向に移動可能となるようにインク芯が設けられ、本体の前端又は後端には、インク芯の前後方向の移動に伴ってペン先を出没させる開口が設けられ、本体には、所定位置にある前記インク芯を前記開口側へ向けて動作させて開口からペン先を突出させる操作手段と、ペン先が開口から突出した状態でインク芯を係止すると共に人為的にその係止の解除が可能な係止手段と、所定位置にインク芯を復帰させるインク芯復帰手段と、操作手段によるインク芯の動作に伴って元位置から本体の下側に突出して前輪及び後輪の同時接地を阻止する車輪接地阻止手段と、元位置に前記車輪接地阻止手段を復帰させて前輪及び後輪の同時接地を許容する突出部材復帰手段とが設けられている。【選択図】図２
2006110948.tif 000002
【特許請求の範囲】
【請求項１】
前輪及び後輪が設けられ親指と人差し指及び中指とで握れる程度の太さに構成された本体を備え、前記本体の内部には、前後方向に移動可能となるように文房具又は工具が設けられ、前記本体の前端又は後端には、前記文房具又は前記工具の前後方向の移動に伴ってその先端部を出没させる開口が設けられ、前記本体には、所定位置にある前記文房具又は前記工具を前記開口側へ向けて動作させて前記開口から前記先端部を突出させる操作手段と、前記先端部が前記開口から突出した状態で前記文房具又は前記工具を係止すると共に人為的にその係止の解除が可能な係止手段と、前記所定位置に前記文房具又は前記工具を復帰させる道具復帰手段と、前記操作手段による前記文房具又は前記工具の動作に伴って元位置から前記本体の下側に突出して前記前輪及び前記後輪の同時接地を阻止する車輪接地阻止手段と、前記元位置に前記車輪接地阻止手段を復帰させて前記前輪及び前記後輪の同時接地を許容する突出部材復帰手段とが設けられていることを特徴とする道具付き走行玩具。
【請求項２】
前輪及び後輪が設けられ親指と人差し指及び中指とで握れる程度の太さに構成された本体を備え、前記本体の内部には、前後方向に移動可能となるようにインク芯が設けられ、前記本体の前端又は後端には、前記インク芯の前後方向の移動に伴ってペン先を出没させる開口が設けられ、前記本体には、所定位置にある前記インク芯を前記開口側へ向けて動作させて前記開口から前記ペン先を突出させる操作手段と、前記ペン先が前記開口から突出した状態で前記インク芯を係止すると共に人為的にその係止の解除が可能な係止手段と、前記所定位置に前記インク芯を復帰させるインク芯復帰手段と、前記操作手段による前記インク芯の動作に伴って元位置から前記本体の下側に突出して前記前輪及び前記後輪の同時接地を阻止する車輪接地阻止手段と、前記元位置に前記車輪接地阻止手段を復帰させて前記前輪及び前記後輪の同時接地を許容する突出部材復帰手段とが設けられていることを特徴とする道具付き走行玩具。
【請求項３】
前記インク芯復帰手段及び前記車輪部材復帰手段はスプリングによって構成されていることを特徴とする請求項２に記載の道具付き走行玩具。
【請求項４】
ゼンマイを備え、前記前輪又は前記後輪は駆動輪となっており、その駆動輪は前記ゼンマイのチャージ力によって回転駆動されるように構成されていることを特徴とする請求項１から３いずれか一に記載の道具付き走行玩具。
【請求項５】
前記ゼンマイは駆動輪を走行方向とは逆の方向に回転させることによってチャージされるように構成されていることを特徴とする請求項４に道具付き走行玩具。
【発明の詳細な説明】
【技術分野】
【０００１】
本発明は、筆記具が一体的に組み込まれた道具付き走行玩具に関するものである。
【背景技術】
【０００２】
従来、走行玩具の本体に底部に沿った収納部と、同収納部に連なる後端部に開口を形成し、同開口を通して収納部内に筆記具を出し入れ自在に形成する一方、同本体の底部には上記収納部に収容される筆記具を押圧して保持するための押圧片を一体形成してなる走行玩具が知られている（例えば特許文献１参照）。
【特許文献１】実公平７−１３７５９号公報
【発明の開示】
【発明が解決しようとする課題】
【０００３】
しかしながら、上記従来技術の走行玩具にあっては、筆記具は単に走行玩具の本体に収納されるだけであり、筆記具を使用する場合には走行玩具の本体から分離してしようしなければならない。そのため、使用後にすぐに本体に再び収納しない場合には、筆記具を紛失してしまうなどの問題がある。
本発明は、かかる問題を解消するためになされたもので、筆記具が一体的に組み込まれた道具付き走行玩具を提供することを目的とする。
【課題を解決するための手段】
【０００４】
請求項１に記載の道具付き走行玩具は、前輪及び後輪が設けられ親指と人差し指及び中指とで握れる程度の太さに構成された本体を備え、前記本体の内部には、前後方向に移動可能となるように文房具又は工具が設けられ、前記本体の前端又は後端には、前記文房具又は前記工具の前後方向の移動に伴ってその先端部を出没させる開口が設けられ、前記本体には、所定位置にある前記文房具又は前記工具を前記開口側へ向けて動作させて前記開口から前記先端部を突出させる操作手段と、前記先端部が前記開口から突出した状態で前記文房具又は前記工具を係止すると共に人為的にその係止の解除が可能な係止手段と、前記所定位置に前記文房具又は前記工具を復帰させる道具復帰手段と、前記操作手段による前記文房具又は前記工具の動作に伴って元位置から前記本体の下側に突出して前記前輪及び前記後輪の同時接地を阻止する車輪接地阻止手段と、前記元位置に前記車輪接地阻止手段を復帰させて前記前輪及び前記後輪の同時接地を許容する突出部材復帰手段とが設けられていることを特徴とする。ここに、「操作手段」とは、スライド式のレバーであっもよいし、ノック式ボールペンで使用されているようなノック式のボタン等であってもよい。また、「文房具」の例としては鉛筆、消しゴム、ポールペン、カッタ、孔開け用の針、「工具」の例としてはドライバ等があげられる。片手で握って使用するタイプの道具であって、先端部分が機能部（主部）となっているものであれば、本願発明を適用できる。ここに「機能部」とは文房具や工具としての機能を発揮する部分である。
【０００５】
請求項２に記載の道具付き走行玩具は、前輪及び後輪が設けられ親指と人差し指及び中指とで握れる程度の太さに構成された本体を備え、前記本体の内部には、前後方向に移動可能となるようにインク芯が設けられ、前記本体の前端又は後端には、前記インク芯の前後方向の移動に伴ってペン先を出没させる開口が設けられ、前記本体には、所定位置にある前記インク芯を前記開口側へ向けて動作させて前記開口から前記ペン先を突出させる操作手段と、前記ペン先が前記開口から突出した状態で前記インク芯を係止すると共に人為的にその係止の解除が可能な係止手段と、前記所定位置に前記インク芯を復帰させるインク芯復帰手段と、前記操作手段による前記インク芯の動作に伴って元位置から前記本体の下側に突出して前記前輪及び前記後輪の同時接地を阻止する車輪接地阻止手段と、前記元位置に前記車輪接地阻止手段を復帰させて前記前輪及び前記後輪の同時接地を許容する突出部材復帰手段とが設けられていることを特徴とする。ここに、「操作手段」とは、スライド式のレバーであっもよいし、ノック式ボールペンで使用されているようなノック式のボタン等であってもよい。
【０００６】
請求項３に記載の道具付き走行玩具は、請求項１又は２に記載の道具付き走行玩具において、前記インク芯復帰手段及び前記車輪部材復帰手段はスプリングによって構成されていることを特徴とする。
【０００７】
請求項４に記載の道具付き走行玩具は、請求項１から３いずれか一に記載の道具付き走行玩具において、ゼンマイを備え、前記前輪又は前記後輪は駆動輪となっており、その駆動輪は前記ゼンマイのチャージ力によって回転駆動されるように構成されていることを特徴とする。なお、動力としてモータを使用してもよいが、その場合には電源が必要となる。
【０００８】
請求項５に記載の道具付き走行玩具は、請求項４に記載の道具付き走行玩具において、前記ゼンマイは駆動輪を走行方向とは逆の方向に回転させることによってチャージされるように構成されていることを特徴とする。いわゆるプルバックゼンマイを使用し、一旦、後ろに道具付き走行玩具を引き、手を離すことによって道具付き走行玩具を走行できるようにしたものである。
【発明の効果】
【０００９】
請求項１から４に記載に記載の道具付き走行玩具によれば、先端の機能部が一体的に組み込まれ、ペン先だけを本体から突出させて使用するので、道具を紛失してしまうなどの問題はない。一方、走行玩具として使用する場合には、先端の機能部が本体に没入するので、壁などに傷を付けることを防止できる。
【発明を実施するための最良の形態】
【００１０】
（発明の実施形態の全体構成）
図１から図４には道具付き走行玩具が示されている。この道具付き走行玩具１は全体として自動車の外観を呈しているが、筆記具としての使用する場合の利便性を考えて前後方向に長尺となっている。本体２は親指と人差し指及び中指とで握れる程度の太さに構成されている。この本体２にはその前後に前輪３，３及び後輪４，４が設けられている。このうち後輪４，４は駆動輪を構成している。また、本体２の後部にはクリップ５が設けられている。クリップ５は、道具付き走行玩具１をポケット片に係止したり、ノートのページに係止したりするために使用されるものである。
【００１１】
本体２はシャーシ２０及びボディ２１から構成されている。ボディ２１はシャーシ２０に嵌合によって着脱可能に組み付けらている。
【００１２】
図２に示されるように、シャーシ２０には上述の前輪３，３及び後輪４，４が設けられている。また、後輪４，４近くのシャーシ２０にはゼンマイボックス３６が設けられている。さらに、シャーシ２０にはインク芯２１が前後方向に移動可能に設けられている。そして、インク芯２１のペン先２１ａは、インク芯２２の前後方向の移動に伴って、本体２の先端の開口（図示せず）から本体２に対して出没するように構成されている。インク芯２２の後端にはホルダ２３が取り付けられている。そして、インク芯２２には、インク芯２２を巻回するようにコイルスプリング２４が取り付けられている。図３に示されるように、コイルスプリング２４の前端はインク芯２２をシャーシ２０に接地した際に車体２内の固定部に当接し、後端はホルダ２３の前端に当接するので、結果として、インク芯２２は後方に向けて付勢される。
【００１３】
図２で示されるように、ホルダ２３には、インク芯２２の軸心を中心に回動可能となるように操作レバー２５が取り付けられている。この操作レバー２５の先端の操作部は、図４に示されるように、シャーシ２０に形成された略Ｕ字状の孔２６から車体２の下側に突出している。その突出量（寸法）は前輪３，３及び後輪４，４の同時接地を妨げとならない程度である。Ｕ字状の孔２６の前端側部分は係止孔（係止手段）２６ａを構成している。この係止孔２６ａは本体２の幅方向に延在している。インク芯２２が移動して係止孔２６ａの箇所まで操作レバー２５が至ったとき、操作レバー２５を一方向に回動させて係止孔２６ａによって操作レバー２５を係止することができる。一方、係止孔２６ａによる操作レバー２５の係止を解除するには、係止の操作の場合とは逆の方向に操作レバー２５を回動すればよい。係止孔２６ａによる操作レバー２５の係止が解除されると、コイルスプリング２４の付勢力によってインク芯２２は初期位置（所定位置）に戻る。
【００１４】
図２で示されるように、ホルダ２３は後端部にフック２６を備えている。一方、図２に示されるように、シャーシ２０には、シャーシ２０の幅方向に延在する軸２７ａを中心に回動する突出レバー（車輪接地阻止手段）２７が設けられている。この場合の軸２７ａは突出レバー２７の略中間に位置している。突出レバー２７の一端側にはピン２７ｂが付設され、インク芯２２をシャーシ２０に接地した際にピン２７ａは上記フック２６に係合される。その結果、インク芯２２が前後に移動すると、突出レバー２７は軸２７ａを中心に回動することになる。突出レバー２７の他端側は、インク芯２２が元位置にあるときに、シャーシ２０の下面と略面一となるように構成され、インク芯２２が前方へ移動した際にシャーシ２０の下側に突出して前輪３，３及び後輪４，４の同時接地を阻止する。
【００１５】
次に、ゼンマイボックス３６に設けられるいわゆるプルバックゼンマイを図５を用いて説明する。プルバックゼンマイは、後輪（駆動輪）４の内側に付設された歯車（図示せず）に噛合する歯車３４ｂを入力歯車としている。そして、このプルバックゼンマイは、道具付き走行玩具１を後ろへ引いた時に、図５（Ｂ）に示すように、入力歯車である歯車３４ｂの回転動力を、歯車３４ｂと同軸の歯車３４ｃ、歯車３４ｄ，３４ｅを介して、歯車３４ｆに伝達し、その歯車３４ｆと同じ軸に一端が係止されたトーションスプリング（ゼンマイ；図示せず）を巻き締めるようになっている。なお、このトーションスプリングの他端は、ゼンマイボックス３６内面の溝（図示せず）に係止されている。また、歯車３４ｅは長穴３６ｂによってゼンマイボックス３６に支持され、トーションスプリングの巻き締めの時だけ、歯車３４ｆに噛合するようになっている。一方、歯車３４ｉは長穴３６ｃによってゼンマイボックス３６に支持され、トーションスプリングが緩む時だけ、歯車３４ｊに噛合し、図５（Ｃ）に示すように、トーションスプリングの動力は、歯車３４ｈ，３４ｉ、歯車３４ｉと同軸の歯車３４ｊ、歯車３４ｋ，３４ｄ，３４ｃ、歯車３４ｃと同軸の歯車３４ｂ，後輪（駆動輪）４の内側に付設された歯車（図示せず）を介して、後輪（駆動輪）４に伝達される。その結果、後輪（駆動輪）４が回転駆動されて、道具付き走行玩具１が走行することになる。以上のプルバックゼンマイはすでに周知であるので、その詳しい説明は省略する。このプルバックゼンマイについては、例えば登録実用新案公報第３０２３６１４号公報に開示されている。
【００１６】
続いて、上記道具付き走行玩具１の使い方を説明する。筆記具として使用する場合には、操作レバー２５を操作して、その操作部を係止孔２６ａに係止させる。これによってインク芯２２は突出状態を保持する。本体２を片手で握り文字を書く。一方、走行玩具として使用する場合には、操作レバー２５を操作してインク芯２２を本体２内に没入させ、その状態で前輪３，３及び後輪４，４を同時に接地させる。そして、その同時接地状態を保持したまま、道具付き走行玩具１を後方に少し引く。これによって、ゼンマイがチャージされる。次に、道具付き走行玩具１から手を離す。これによってゼンマイ動力で後輪４，４が回転駆動されて道具付き走行玩具１は床面上又は机上で走行する。
【００１７】
以上、本発明の実施形態について説明したが、本発明は、かかる実施形態には限定されず、その発明の用紙を変更しない範囲で種々の変形が可能であることはいうまでもない。
例えば、上記実施形態では、ボールペンのインク芯を本体に組み込んだが、インク芯に代えてその他の文房具や工具を組み込むことも可能である。
【図面の簡単な説明】
【００１８】
【図１】本発明の実施形態である道具付き走行玩具の側面図である。
【図２】図１の道具付き走行玩具のボディ部分を取り除いた状態の分解側面図である。
【図３】図１の道具付き走行玩具のボディ部分を取り除いた状態の平面図である。
【図４】図１の道具付き走行玩具の下面図である。
【図５】いわゆるプルバックゼンマイの一例を説明するための図である。
【符号の説明】
【００１９】
１  道具付き走行玩具
２  本体
３  前輪
４  後輪
５  クリップ
２０  シャーシ
２１  ボディ
２２  インク芯
２４  コイルスプリング
２５  操作レバー（操作手段）
２７  突出レバー（車輪接地阻止手段）
【図１】
2006110948.tif 000003
【図２】
2006110948.tif 000004
【図３】
2006110948.tif 000005
【図４】
2006110948.tif 000006
【図５】
2006110948.tif 000007